(57)【要約】【課題】  円筒状容器のコストを削減し、円筒状容器を容易に移動できるようにする。【解決手段】  水平フレーム部２７の後端側に垂直フレーム部２８を有するＬ字型フレーム２６のコーナ部分の左右両側に車輪２９を設ける。水平フレーム部２７の前端部の下側に支持脚３０を設ける。垂直フレーム部２８の上端部の後側に握り兼脚部材３１を設け、垂直フレーム部２８の前面の左右両側位置にローラ３２を設ける。水平フレーム部２７に、上端に蓋２５ａを有する円筒状容器２５を載置して発酵促進装置を形成する。円筒状容器２５に生ごみと必要に応じて堆肥化促進材料を投入した後、Ｌ字型フレーム２６を後方へ倒伏させて、円筒状容器２５を垂直フレーム部２８に設けてあるローラ３２上に横向きで受けた状態とし、この状態で円筒状容器２５を回転させることで、生ごみを切り返すように撹拌して堆肥化を促進させる。【選択図】図１
0003136093.tif 000002
【実用新案登録請求の範囲】
【請求項１】
円筒状容器を載置するための水平フレーム部と、該水平フレーム部の後端部より上方へ延びる垂直フレーム部とからなるＬ字型フレームのコーナ部分の左右両側に車輪を設け、上記水平フレーム部の前端部の下側に支持脚を設けると共に、上記垂直フレーム部の上端部の後側に後方へ突出する握り兼脚部材を設け、更に、上記垂直フレーム部の前面の左右両側位置に回転支持部材をそれぞれ設け、且つ上記水平フレーム部に円筒状容器を立てた状態で載置してなり、上記Ｌ字型フレームを後方へ倒伏させるときに上記水平フレーム部上の円筒状容器を上記垂直フレーム部に設けてある左右の回転支持部材の上に受けて回転可能に支持できるようにしたことを特徴とする発酵促進装置。
【請求項２】
支持脚の上下寸法を、該支持脚と左右の車輪を接地した状態で支持脚と各車輪によってＬ字型フレームの水平フレーム部を水平に支持できるように設定した請求項１記載の発酵促進装置。
【請求項３】
握り兼脚部材の前後寸法を、Ｌ字型フレームを後方へ倒伏させて該握り兼脚部材と左右の車輪を接地させた状態で握り兼脚部材と各車輪によって上記Ｌ字型フレームの垂直フレーム部を水平に支持できるように設定した請求項１又は２記載の発酵促進装置。
【請求項４】
回転支持部材に、駆動機構を取り付けるようにした請求項１、２又は３記載の発酵促進装置。
【考案の詳細な説明】
【技術分野】
【０００１】
本考案は、生ごみを切り返しながら発酵させて堆肥化する処理を促進させたり、糠床を切り返しながら発酵を促すために用いる発酵促進装置に関するものである。
【背景技術】
【０００２】
近年、生ごみを有効利用するための１つの手法として、生ごみを堆肥化することが考えられている。
【０００３】
この種の生ごみを効率よく堆肥化するためには、材料を定期的に切り返して（撹拌して）、材料中に酸素を供給することで、該材料中における好気的な堆肥化バクテリアの繁殖を促進して発行を促すことが有効である。
【０００４】
そのために、生ごみを効率よく堆肥化するための装置として、たとえば、図５にその一例の概略を示す如く、横向きに配置した円筒紙管からなる筒体部２と、該筒体部２の軸心方向の両端部を閉塞する側面部３と、上記筒体部２の一部に穿設した投入口４と、該投入口４を閉鎖するための装着取外し可能な蓋部５とを具備してなる発酵容器１を形成し、且つ該発酵容器１の下方に設置するための堆肥排出孔８を穿設してなるベース板７と、上記発酵容器１の筒体部２を回転可能に支持するために該ベース板７上に設けた複数のローラ９とを具備してなる設置ベース６、及び、上記発酵容器１への生ごみ投入と発酵容器１からの堆肥取り出しの際に、上記発酵容器１を回転不能に固定するために上記発酵容器１の筒体部２と上記ベース板７との間に挿入するための図示しないくさびとを具備する家庭用生ごみ堆肥化装置が提案されている。
【０００５】
更に、上記家庭用生ごみ堆肥化装置では、上記発酵容器１の筒体部２の内部における周方向９０度等の所定の角度間隔個所に、筒体部１の半径よりも短い撹拌棒（図示せず）を、軸方向所定の間隔で複数本ずつ配設した構成とすることも提案されている。１０は上記設置ベース６の堆肥排出孔８の下側に配した堆肥受けトレイ１０である。
【０００６】
以上の構成としてある家庭用生ごみ堆肥化装置によれば、先ず、上記発酵容器１の蓋部５を取り外して、投入口４より生ごみ（図示せず）を投入すると共に、ピートモス、薫炭（原料もみ殻）、微生物群、おが屑等からなり、更に、米ぬか、劣化した天ぷら油等を加えてなる培養材（図示せず）を適量散布し、次いで、蓋部５を装着して投入口４を閉じてから、発酵容器１を数周ほど回転させ、内部の生ごみと培養材とを撹拌して均一に混合させる。
【０００７】
その後は、一日に何度でも生ごみが発生する毎に、発酵容器１への投入と、発酵容器１の数周の回転とを行って、新たに投入したものと、前回までに投入されたものとをよく撹拌する。
【０００８】
その後、時々適宜回転させながら所定の期間放置して、投入した生ごみが堆肥化されたことを目測により確認した後、発酵容器１の蓋部５を取り外して、該発酵容器１を回転させて投入口４を堆肥受けトレイ１０の上方に位置させることで、発酵容器１内の堆肥（図示せず）を投入口４より堆肥受けトレイ１０へと排出することで、生ごみより製造した堆肥を得ることができるとされている（たとえば、特許文献１参照）。
【０００９】
又、生ごみを効率よく堆肥化するための装置の別の例としては、図６に示す如く、側面（軸心方向の一端面）に回転用ハンドル１２を取り付け、且つ円筒周面に堆肥等内容物を投入・摘出する開口部１３を設けた円筒状容器１１を、基面１４との間に台車の出し入れ可能な空間を設けて基台１５上に水平に軸支し、且つ上記開口部１３には、蝶番１７により開閉して該開口部１３を密閉するための蓋１６を取り付け、更に、開口部１３の相対する円筒部周面に、容器内で発生する液分を排出する排出孔１８を設けた構成を有する回転型堆肥発酵タンクも提案されている。
【００１０】
更に、上記回転型堆肥発酵タンクでは、円筒状容器１１内に、内容物を撹拌するための突起（図示せず）を設けた構成とすることも提案されている。
【００１１】
以上の構成としてある回転型堆肥発酵タンクによれば、円筒状容器１１に、堆肥の原料となる有機廃棄物（図示せず）を、約１／３程度投入して若干の水を加え、更に、自然の土壌、堆肥作業活性バクテリア、水素イオン濃度（ｐＨ）緩衝剤、加水分解酵素が混合されている堆肥促進剤（図示せず）を適量振りかける。
【００１２】
次に、開口部１３の蓋１６を閉じた後、ハンドル１２により円筒状容器１１を回転させて、投入した原料の有機廃棄物と水と堆肥促進剤を充分に混合し、更に容器内に有機廃棄物を投入して水と堆肥促進剤を加えてから円筒状容器１１を回転させて混合を行い、この操作を該円筒状容器１１がいっぱいになるまで繰り返す。
【００１３】
その後は、１〜２日すると、容器内の原料が６０％程度まで減少するので、更に有機廃棄物と水及び堆肥促進剤を追加し、内部を曝気するために、２日ごと位にハンドル１２により円筒状容器１１を回転して混合・撹拌を繰り返す。
【００１４】
これにより、３〜４日経過後には、容器内の温度が５４℃程度になり、容器内の材料の中心では、材料が脱水し水和化され始める。この高温状態を保つために、必要に応じて材料が収縮しても常に容器内の３／４程度になるまで有機廃棄物等を追加投入するようにする。
【００１５】
しかる後、上記のような状態にして、排出孔１８を下方に向けておくと図示しない凝縮液が排出孔  から抽出されるようになり、以上の操作によって約１週間程度で堆肥を得ることができるとされている（たとえば、特許文献２参照）。
【００１６】
ところで、一般に広く食されている発酵食品の１つに糠漬け（糠味噌漬け）がある。この種の糠漬けは野菜等の材料を糠床に漬けてつくるものであるが、糠床の変質を未然に防止して良好な状態を維持させるためには、糠床を１日に１回から数回切り返して掻き混ぜる作業が必要とされる。
【００１７】
そこで、上記糠床を切り返して掻き混ぜる作業を、直接的な手作業で行う必要をなくすことができるようにするための装置として、たとえば、図７に示す如く、糠漬け用の容器を、軸心方向の一端側に蓋２０を備えた円筒容器１９とし、且つ保持台２１に設けた回転体２２の上側に、該円筒容器１９を横向きに載置した構成のものが提案されている。２３は蓋２０に設けた開閉プレート２４付きの通気孔である（たとえば、特許文献３参照）。
これにより、上記円筒容器１９に糠床（図示せず）を収納させた後、該円筒容器１９を上記保持台２１の回転体２２の上側に横向きに載置し、この状態で、上記円筒容器１９を手で回転させることで、該円筒容器１９の内部の糠床を撹拌できるようにしてある。
【００１８】
【特許文献１】特開２００５−２６３６０４号公報
【特許文献２】実用新案登録第３０３０９４２号公報
【特許文献３】特開２００５−１０２６７１号公報
【考案の開示】
【考案が解決しようとする課題】
【００１９】
ところが、上記特許文献１に示された家庭用生ごみ堆肥化装置や、特許文献２に示された回転型堆肥発酵タンクは、いずれも円筒状の容器１，１１を横向きに配置して回転可能に設けた構成としてあり、そのために、横向きの円筒状の容器１，１１の周壁面に投入口４や開口部１３を設ける必要があると共に、該投入口４や開口部１３を閉塞させるための蓋（蓋部）５，１６を、上記円筒状の容器１，１１の周壁面に沿った湾曲形状に形成する必要があることから、専用の容器が必要になり、そのために、該円筒状の容器１，１１の製造コストが嵩むという問題もある。
【００２０】
更に、上記円筒状の容器１，１１は、設置ベース６や基台１５を介して所要個所に一旦設置すると、その後は位置を移動させることが難しいものとなっているのが実状である。
【００２１】
又、特許文献３に示されたものは、糠漬け用の円筒容器１９を横向きに配置して回転させることができるようにしてあるが、該円筒容器１９における蓋２０は、軸心方向の一端側に設けられているため、上記円筒容器１９の中へ材料を入れたり、漬物を取り出す場合には、その都度、人手によって該円筒容器１９を蓋２０が上方に位置するように立てる作業が必要になり、したがって、作業者の労力が嵩むという問題があると共に、上記糠漬け用円筒容器１９の大きさが小さく制限されると云う問題も懸念される。
【００２２】
そこで、本考案は、生ごみの堆肥化処理や、糠床の切り返しによる掻き混ぜ作業を効率よく実施させることができると共に、設置位置を容易に移動させることができ、しかも、一般的に広く用いられている軸心方向の一端部に開口部と該開口部を閉塞させるための蓋を備えた構造の円筒容器を活用することができると共に、該円筒容器に対する物の出し入れ作業を容易に実施することが可能な発酵促進装置を提供しようとするものである。
【課題を解決するための手段】
【００２３】
本考案は、上記課題を解決するために、請求項１に対応して、円筒状容器を載置するための水平フレーム部と、該水平フレーム部の後端部より上方へ延びる垂直フレーム部とからなるＬ字型フレームのコーナ部分の左右両側に車輪を設け、上記水平フレーム部の前端部の下側に支持脚を設けると共に、上記垂直フレーム部の上端部の後側に後方へ突出する握り兼脚部材を設け、更に、上記垂直フレーム部の前面の左右両側位置に回転支持部材をそれぞれ設け、且つ上記水平フレーム部に円筒状容器を立てた状態で載置してなり、上記Ｌ字型フレームを後方へ倒伏させるときに上記水平フレーム部上の円筒状容器を上記垂直フレーム部に設けてある左右の回転支持部材の上に受けて回転可能に支持できるようにした構成とする。
【００２４】
又、上記構成において、支持脚の上下寸法を、該支持脚と左右の車輪を接地した状態で支持脚と各車輪によってＬ字型フレームの水平フレーム部を水平に支持できるように設定した構成とする。
【００２５】
更に、上記各構成において、握り兼脚部材の前後寸法を、Ｌ字型フレームを後方へ倒伏させて該握り兼脚部材と左右の車輪を接地させた状態で握り兼脚部材と各車輪によって上記Ｌ字型フレームの垂直フレーム部を水平に支持できるように設定した構成とする。
【００２６】
上述の各構成において、回転支持部材に、駆動機構を取り付けるようにした構成とする。
【考案の効果】
【００２７】
本考案の発酵促進装置によれば、以下の如き優れた効果を発揮する。  
（１）円筒状容器を載置するための水平フレーム部と、該水平フレーム部の後端部より上方へ延びる垂直フレーム部とからなるＬ字型フレームのコーナ部分の左右両側に車輪を設け、上記水平フレーム部の前端部の下側に支持脚を設けると共に、上記垂直フレーム部の上端部の後側に後方へ突出する握り兼脚部材を設け、更に、上記垂直フレーム部の前面の左右両側位置に回転支持部材をそれぞれ設け、且つ上記水平フレーム部に円筒状容器を立てた状態で載置してなり、上記Ｌ字型フレームを後方へ倒伏させるときに上記水平フレーム部上の円筒状容器を上記垂直フレーム部に設けてある左右の回転支持部材の上に受けて回転可能に支持できるようにした構成としてあるので、上記Ｌ字型フレームを起立姿勢とさせた状態では、水平フレーム部状に立てて載置してある円筒状容器の上端部の蓋を容易に開閉でき、一方、上記Ｌ字型フレームを後方へ倒伏させた状態では、上記円筒状容器を垂直フレーム部に設けてある左右の回転支持部材の上側で、上記円筒状容器を回転させることで、該円筒状容器の内容物を、容易に切り返して撹拌することができる。したがって、上記円筒状容器に生ごみを投入して堆肥化する際には、該堆肥化を効率よく行わせることができる。又、上記円筒状容器に糠床を収納した状態では、該糠床の切り返しによる掻き混ぜ作業を容易に行うことができて、少ない労力で、糠床を正常に維持することが可能になる。  
（２）更に、上記円筒状容器としては、外周面の一部に開口部や蓋を設けたような専用構造のものではなく、軸心方向の一端部に蓋を備えた形式の円筒状容器を用いることができるため、該円筒状容器に要するコストを削減することが可能になる。  
（３）しかも、上記Ｌ字型フレームは車輪が設けてあるため、上記握り兼脚部材を持って該Ｌ字型フレームを少し後方へ傾けて支持脚を地面や床から浮かせた姿勢とすることで、水平フレームに載置してある円筒状容器を、自在に且つ容易に移動させることができる。
よって、生ごみの堆肥化処理を行う場合には、円筒状容器を日なたに出して該円筒状容器と一緒に内容物を加熱させて、内部での虫の発生を予防したり、円筒状容器を日射が遮られる位置へ移動させて温度上昇を抑制することが可能になる。又、円筒状容器に糠床を収納した場合には、該糠床の過度の温度上昇や温度低下を抑制するために、季節や天候に応じて円筒状容器の位置を屋内で移動させることも可能になる。  
（４）支持脚の上下寸法を、該支持脚と左右の車輪を接地した状態で支持脚と各車輪によってＬ字型フレームの水平フレーム部を水平に支持できるように設定した構成とすることにより、上記Ｌ字型フレームを上記支持脚と左右の車輪を接地させた起立姿勢とした状態で、水平フレーム部の上側に円筒状容器を容易に且つ安定した状態で載置することができる。  
（５）握り兼脚部材の前後寸法を、Ｌ字型フレームを後方へ倒伏させて該握り兼脚部材と左右の車輪を接地させた状態で握り兼脚部材と各車輪によって上記Ｌ字型フレームの垂直フレーム部を水平に支持できるように設定した構成とすることにより、上記Ｌ字型フレームを握り兼脚部材と左右の車輪を接地させた倒伏姿勢とした状態で、垂直フレーム部に設けてある回転支持部材上に、円筒状容器を軸心方向に傾かせることなく容易に支持することができる。  
（６）回転支持部材に、駆動機構を取り付けるようにした構成とすることにより、Ｌ字型フレームを倒伏姿勢とした状態で、垂直フレーム部に設けてある上記回転支持部材上に支持する円筒状容器を、容易に回転させることが可能になる。
【考案を実施するための最良の形態】
【００２８】
以下、図面に基づき本考案を実施するための最良の形態を説明する。
【００２９】
図１（イ）（ロ）及び図２（イ）（ロ）（ハ）は、本考案の発酵促進装置の実施の一形態を示すもので、以下のような構成としてある。
【００３０】
すなわち、円筒状容器２５を軸心方向に立てた状態で載置できるようにした水平フレーム部２７と、該水平フレーム部２７の後端部より垂直方向上向きに所要寸法延びる垂直フレーム部２８とからなる側面形状Ｌ字型のフレーム２６を形成する。
【００３１】
上記Ｌ字型フレーム２６のコーナ部分の左右両側位置には、左右１対の所要径の車輪２９を回転自在に取り付ける。
【００３２】
更に、上記水平フレーム部２７の前端縁部における左右両端部の下側に、上記車輪２９の半径寸法とほぼ同様の長さ寸法で上下方向に延びる左右１対の支持脚３０をそれぞれ取り付ける。これにより、図１（イ）に示す如く、上記左右の支持脚３０を、左右の車輪２９と共に地面や床に接地させることで、該左右の支持脚３０と車輪２９により、上記Ｌ字型フレーム２６を、水平フレーム部２７が水平な配置となる起立姿勢で安定に支持させることができるようにしてある。
【００３３】
又、上記垂直フレーム部２８の上端部における左右両端部の後側には、上記車輪２９の半径寸法とほぼ等しい長さ寸法で水平方向後ろ向きに突出する握り兼脚部材３１を取り付ける。これにより、上記握り兼脚部材３１を把持した状態にて、上記Ｌ字型フレーム２６を後方へ少し傾けて上記支持脚３０を地面や床から浮かした姿勢とさせることで、該Ｌ字型フレーム２６を、上記左右の車輪２９の走行によって容易に且つ自在に移動させることができるようにしてある。更に、上記Ｌ字型フレーム２６を後方へ倒伏させて、図１（ロ）に示す如く、上記握り兼脚部材３１の突出端部（後端部）を地面や床に接地させた状態とすることにより、該左右の握り兼脚部材３１と車輪２９によって、上記Ｌ字型フレーム２６を、垂直フレーム部２８が水平に横倒しされた配置となる倒伏姿勢で安定に支持させることができるようにしてある。
【００３４】
更に、上記垂直フレーム部２８の前面には、左右水平方向に円筒状容器２５の直径寸法よりも狭い間隔を隔てて配置した左右１対の回転支持部材としてのローラ３２の組を、上下方向所要間隔で複数段、たとえば、上下２段に設けるようにしてある。
【００３５】
上記円筒状容器２５は、上下方向に所要寸法延び且つ上端部に開閉可能な蓋２５ａを具備してなる形式として、起立姿勢とさせた上記Ｌ字型フレーム２６の水平フレーム部２７の上側に、立てた状態で載置するようにしてある。これにより、上記Ｌ字型フレーム２６を図１（イ）に示した如き起立姿勢とした場合は、円筒状容器２５の上端部の蓋２５ａを開けて容器内へものを入れたり、該円筒状容器２５の内容物を取り出すことができるようにしてある。又、上記Ｌ字型フレーム２６を図１（ロ）に示した如き倒伏姿勢とさせるときには、該Ｌ字型フレーム２６の倒伏動作に伴って横倒しされる円筒状容器２５を、上記垂直フレーム部２８に設けてある左右のローラ３２の上に受けて、該各ローラ３２上にて、横向きに載置される上記円筒状容器２５を、容易に回転させることができるようにしてある。
【００３６】
更に、上記円筒状容器２５の軸心方向所要個所における内周壁面には、図２（イ）に示す如く、容器内側へ所要寸法突出する突起３３を、周方向所要間隔で設ける。更に、図２（ロ）に示す如く、上記円筒状容器２５における内底面と、蓋２５ａの下面にも、容器内側へ突出する突起３３を設けるようにしてある。
【００３７】
具体的には、図２（ハ）に示す如く、所要の幅寸法の帯状としてある可撓性を有する板状部材、たとえば、金属板３４に、長手方向所要間隔で半円筒形状の突起３３を形成し、この突起３３を設けた金属板３４を、上記円筒状容器２５の軸心方向中間部の内周壁面に周方向に沿って貼り付けることにより、該円筒状容器２５の内周壁面に突起３３を配設するようにしてある。なお、上記と同様の突起３３を設けた帯状の金属板３４を、円筒状容器２５の軸心方向複数個所に貼り付けて、該円筒状容器２５の内周壁面に、軸心方向の複数段位亘り周方向に配列された突起３３を設けるようにしてもよい。
【００３８】
又、上記と同様に半円筒形状の突起３３を形成してなる短い金属板３４を、上記円筒状容器２５の内底面と、蓋２５ａの下面にそれぞれ貼り付けることで、該円筒状容器２５の内底面と、蓋２５ａの下面にも突起３３を配設するようにしてある。これにより、上記円筒状容器２５を横向きにした状態で回転させる際に、該円筒状容器２５の内容物が上記突起３３に引っ掛けられて円筒状容器２５の回転に追従して周方向に沿って確実に移動させられるようにすることで、内容物の撹拌をより確実に行うことができるようにしてある。
【００３９】
更に、所要の突起３３、たとえば、蓋２５ａの下面に設けた突起３３に、孔３５を穿設すると共に、該孔３５を設けた突起３３の接地個所と対応する上記蓋２５ａの外周部所要個所に、上記孔３５を設けた突起３３の内側空間と、容器外部を連通させるための排出孔３６を穿設する。これにより、上記円筒状容器２５の内容物に過剰な水分が含まれている場合は、該内容物の水分を上記突起３３に穿設した孔３５を通して該突起３３の内側へ抽出すると共に、該抽出された水分を、上記排出孔３６を通して容器外部へ排出することができるようにしてある。
【００４０】
図１（イ）（ロ）における符号３７は上記円筒状容器２５の蓋２５ａの外周部所要個所に、該円筒状容器２５の軸心方向に平行に突出するよう取り付けたハンドルであり、上記Ｌ字型フレーム２６を図１（ロ）に示したように倒伏姿勢として、各ローラ３２上に円筒状容器２５を横向きで載置させた状態にて、上記ハンドル３７を、手動で上下方向に旋回させることで、上記円筒状容器２５を容易に且つ効率よく回転させることができるようにしてある。
【００４１】
以上の構成としてある発酵促進装置を生ごみの堆肥化処理に用いる場合は、上記Ｌ字型フレーム２６を図１（イ）に示したように起立姿勢とさせた状態にて、水平フレーム部２７上に載置してある円筒状容器２５の蓋２５ａを取り外して、図示しない生ごみと、必要に応じて従来と同様の堆肥化を促進するための材料を容器内へ投入し、次に、上記円筒状容器２５の蓋２５ａを閉じてから、上記Ｌ字型フレーム２６を後方へ倒して、図１（ロ）に示すように、車輪２９と握り兼脚部材３１を設置させた倒伏姿勢とさせる。次いで、上記ハンドル３７を上下方向に旋回させて上記円筒状容器２５をローラ３２上で回転させると、該円筒状容器２５の内容物は効率よく切り返しが行われて撹拌されるようになる。
【００４２】
その後は、上記Ｌ字型フレーム２６を起立姿勢とさせた状態での上記円筒状容器２５への生ごみを追加投入や、上記Ｌ字型フレーム２６を倒伏姿勢とさせた状態での上記円筒状容器２５の回転による内容物の撹拌を適宜行いながら上記円筒状容器２５の内容物が堆肥化されるまで所要期間経過させる。この際、図１（ロ）に示すように、上記蓋２５ａの外周部に設けてある排出孔３６が下端側に位置するように上記円筒状容器２５の回転方向の角度姿勢を調整した状態で配置しておけば、該円筒状容器２５の内容物より該蓋２５ａに設けてある突起３３の孔３５を通して抽出された過剰な水分が、該排出孔３６を通して容器外部へ排出されて、内容物の水分量の調整が行われるようになる。
【００４３】
しかる後、上記Ｌ字型フレーム２６を図１（イ）に示すように起立姿勢とさせてから円筒状容器２５の蓋２５ａを取り外して、製造された堆肥を取り出すようにすればよい。
【００４４】
又、上記発酵促進装置を、糠漬けに使用する場合は、円筒状容器２５の内部に糠床を収納させた状態とし、野菜等を糠床へ入れたり、漬物を取り出す場合には、上記Ｌ字型フレーム２６、図１（イ）に示すように起立させた状態で円筒状容器２５の蓋２５ａの開閉を行うようにする。又、図１（ロ）に示すように上記Ｌ字型フレーム２６を倒伏姿勢とさせた状態で、ハンドル３７を利用して円筒状容器２５の回転を行うようにすると、該円筒状容器２５内に収納されている糠床の切り返しによる掻き混ぜが効率よく行われるようになる。
【００４５】
このように本考案の発酵促進装置によれば、上記円筒状容器２５が軸心方向の一端部に蓋２５ａを備えた形式とであっても、Ｌ字型フレーム２６を起立姿勢とさせることで、上記蓋２５ａの開閉作業を容易に実施することができる。又、上記Ｌ字型フレーム２６を倒伏姿勢とすれば、上記円筒状容器２５を容易に回転させることができて、該円筒状容器２５の回転に伴い、その内容物を効率よく撹拌することができる。したがって、上記円筒状容器２５としては、外周面の一部に開口部や蓋を設けたような専用構造のものではなく、軸心方向の一端部に蓋２５ａを備えた形式の広く一般的に使用されている円筒状容器２５を上記した生ごみの堆肥化処理や、糠漬けに利用することが可能になるため、該円筒状容器２５に要するコストを削減することが可能になる。
【００４６】
又、上記Ｌ字型フレーム２６は車輪２９が設けてあるため、上記水平フレーム２７に載置してある円筒状容器２５を、自在に且つ容易に移動させることができる。よって、本考案の発酵促進装置を生ごみの堆肥化処理に用いる場合に、たとえば、円筒状容器２５を日なたに出して日射により該円筒状容器２５と一緒に内容物を加熱させて、内部での虫の発生を予防したり、円筒状容器２５を日射が遮られる位置へ搬送して温度上昇を抑えるようにしたりすることが可能になる。又、本考案の発酵促進装置を糠漬けに用いる場合には、円筒状容器２５に収納する糠床の過度の温度上昇や温度低下を抑制するために、季節や天候によって円筒状容器２５の位置を屋内で移動させるようにすることも可能になる。
【００４７】
次に、図３は本考案の実施の他の形態を示すもので、図１（イ）（ロ）及び図２（イ）（ロ）（ハ）に示したものと同様の構成において、Ｌ字型フレーム２６の垂直フレーム部２８の前面に、左右水平方向に所要間隔を隔てて配置した左右１対のローラ３２の組を、上下方向所要間隔で２段設けた構成に代えて、垂直フレーム部２８の前面に、回転支持部材としての上下方向に延びるコロ３８を、上記左右のローラ３２と同様の間隔を隔てて左右一対で設けたものである。
【００４８】
その他の構成は図１（イ）（ロ）及び図２（イ）（ロ）（ハ）に示したものと同様であり、同一のものには同一の符号が付してある。
【００４９】
本実施の形態によっても、上記実施の形態と同様の効果を得ることができる。更に、上記コロ３８は上下方向に連続しているため、円筒状容器２５として高さ寸法の低いものから高いものまで容易に対応することができて、本考案の発酵促進装置に採用可能な円筒状容器２５を選択する場合に有利なものとすることができる。
【００５０】
なお、上記各実施の形態では、いずれも、Ｌ字型フレーム２６として、木材等の板状の部材を組み合わせてなる構造のものを示したが、図４に示す如く、平行に配置した左右１対のＬ字型のパイプ３９の長手方向所要個所同士を、左右方向に延びる連結部材４０で連結してなる構造のＬ字型フレーム２６を採用してもよい。
【００５１】
又、上記図１（イ）（ロ）及び図２（イ）（ロ）（ハ）の実施の形態では、Ｌ字型フレーム２６を倒伏姿勢とすることに伴われて横向き配置される円筒状容器２５を回転させる場合、該円筒状容器２５に取り付けてあるハンドル３７を上下方向に旋回させるものとして説明したが、図４に示す如く、図３に示したコロ３８と同様にＬ字型フレーム２６の垂直フレーム部２８の前面の左右位置に取り付けてある各コロ３８に、該各コロ３８を手動で駆動させるための駆動機構、たとえば、該各コロ３８の軸の上端部に取り付けた傘歯歯車４１を取り付けて、該各傘歯歯車４１に、上記左右のコロ３８の所要寸法上方位置に水平方向に配置して上記垂直フレーム部２８に回転自在に支持させた伝達軸４２上の傘歯歯車４３を噛合させ、更に、上記伝達軸４２の左右方向の一端部を、上記垂直フレーム部２８の外側へ突出させると共に、該突出端部に、クランク形状のハンドル４４を一体に設けてなる構成の駆動機構を付設してもよい。このようにすれば、上記ハンドル４４を手動で回転させる力を、伝達軸４２、傘歯歯車４３と４１を介して上記各コロ３８へ伝達して該各コロ３８を回転駆動し、この各コロ３８の回転駆動によって、該各コロ３８の上方に受けられる円筒状容器２５を容易に回転させることができるようになる。
【００５２】
なお、本考案は、上記実施の形態のみに限定されるものではなく、Ｌ字型フレーム２６は、円筒状容器２５を立てた状態で載置できる水平フレーム部２７と、前面側の左右位置に上下方向に回転軸を有する回転支持部材を設けた垂直フレーム部２８とを備えていれば、図示した構造以外の構造を採用してもよい。又、材質は要求される強度に応じて適宜選定すればよい。
【００５３】
車輪２９の構造やサイズは、要求される強度に応じて適宜変更してもよい。この場合、上記車輪２９の径寸法に応じて支持脚３０と、握り兼脚部材３１の長さ寸法は適宜変更すればよい。又、上記支持脚３０や握り兼脚部材３１は、所要の長さ寸法を備えていれば、図示した形状以外のものを採用してもよい。
【００５４】
円筒状容器２５の内周壁面に設ける突起３３の数や配置は、内容物の性状や量に応じて適宜変更してもよい。又、突起３３を図示した形状以外の形状としてもよい。更に、円筒状容器２５の内周壁面の所定位置に突起３３を設置できれば、取り付け方法は任意の方法を採用してよい。更には、円筒状容器２５には、内周壁面に突起３３を設けることが望ましいが、内容物が、該円筒状容器２５を横向き姿勢で回転させるときに、内周壁面に沿って容易に滑り落ちにくい性状を備えていて、円筒状容器２５回転で確実に切り替えして撹拌できれば、突起３３は省略してもよい。
【００５５】
図４に示した各コロ３８を手動で駆動させるための駆動機構は、手の力を上記各コロ３８へ伝えて該各コロ３８を回転駆動させることができるようにしてあれば、任意の駆動機構を採用してよい。
【００５６】
その他本考案の要旨を逸脱しない範囲内で種々変更を加え得ることは勿論である。
【図面の簡単な説明】
【００５７】
【図１】本考案の発酵促進装置の実施の一形態を示すもので、（イ）はＬ字型フレームを起立姿勢とした状態を、（ロ）はＬ字型フレームを倒伏姿勢とした状態をそれぞれ示す概略斜視図である。
【図２】図１の装置の円筒状容器を示すもので、（イ）は円筒状容器の切断平面図、（ロ）は円筒状容器の切断側面図、（ハ）は円筒状容器内に取り付ける突起を設けた金属板を示す概要図である。
【図３】本考案の発酵促進装置の実施の他の形態を示す概略斜視図である。
【図４】本考案の発酵促進装置の実施の更に他の形態を示す概略斜視図である。
【図５】生ごみを効率よく堆肥化させるために従来提案されている家庭用生ごみ堆肥化装置を示す概要図である。
【図６】生ごみを効率よく堆肥化させるために従来提案されている回転型堆肥発酵タンクである。
【図７】糠床を効率よく切り返して掻き混ぜるために従来提案されている装置を示す概要図である。
【符号の説明】
【００５８】
２５  円筒状容器
２５ａ  蓋
２６  Ｌ字型フレーム
２７  水平フレーム部
２８  垂直フレーム部
２９  車輪
３０  支持脚
３１  握り兼脚部材
３２  ローラ（回転支持部材）
３８  コロ（回転支持部材）
４１  傘歯歯車（駆動機構）
４２  伝達軸（駆動機構）
４３  傘歯歯車（駆動機構）
４４  ハンドル（駆動機構）
【図１】
0003136093.tif 000003
【図２】
0003136093.tif 000004
【図３】
0003136093.tif 000005
【図４】
0003136093.tif 000006
【図５】
0003136093.tif 000007
【図６】
0003136093.tif 000008
【図７】
0003136093.tif 000009